(57)【特許請求の範囲】
【請求項１】
基底部材（４）によって、細長片ロール（３）における細長片（２）を展開すると共に切断するための装置であって、
前記基底部材（４）は、切り離し刃（９）、短冊孔（１２）、前記細長片（２）を収納するための収納板（１３）、天面（５）と、２つの第１及び第２横側案内面（６，７）と、底面（８）とを備え、一方の第１横側案内面（６）が、収納板（１３）及び天面（５）と、底面（８）とを連結すると共に、他方の第２横側案内面（７）が、天面（５）に連結される装置において、
前記短冊孔（１２）は、前記切り離し刃（９）が配置されている前記天面（５）の直線状の縁部と、前記収納板（１３）の直線状の縁部との間隙で形成され、前記収納板（１３）が、前記第１横側案内面（６）の上側縁部に位置する旋回軸領域（１６）を中心にして、前記第２横側案内面（７）から離れる方向に旋回可能である
ことを特徴とする装置。
【請求項２】
前記収納板（１３）は、前記第２横側案内面（７）によってロック可能である
請求項１に記載の装置。
【請求項３】
前記細長片ロール（３）の中心に向けた方向における前記第１及び第２横側案内面（６，７）の１つは、前記細長片ロール（３）のための貫通開口部（２１）を形成するために、部分的に開いている
請求項１または２に記載の装置。
【請求項４】
前記基底部材（４）の前記底面（８）は、前記細長片ロール（３）の内側（２０）に接触している弾性締め付け腕木で構成される
請求項１ないし３のいずれかに記載の装置。
【請求項５】
前記締め付け腕木は、Ｓ字形である
請求項４に記載の装置。
【請求項６】
前記締め付け腕木は、スプーン状である
請求項４に記載の装置。
【請求項７】
前記細長片（２）は、前記細長片ロール（３）の外側円周部から前記短冊孔（１２）の中に挿入可能である
請求項１ないし６のいずれかに記載の装置。
【請求項８】
前記細長片（２）を細長片ロール（３）から引いて展開することは、前記基底部材（４）の移動をもたらす
請求項１ないし７のいずれかに記載の装置。
【発明の詳細な説明】
【技術分野】
【０００１】
本発明は、請求項１の前文に記載する細長片ロールにおいて、細長片を展開すると共に切断するための装置に関する。この発明の文脈において使用される細長片は、接着性テープ、包装用及び固定用のテープ及び細長片であり、これらは、医療分野における自己接着性の固着細長片のような、接着性被覆剤を有するもの、及び該接着性被覆剤を有しないものであり得る。
【背景技術】
【０００２】
そのような装置は、特許文献１に開示されている。この装置では、短冊孔の後ろに、切り離し刃が、及びこれの下流に、上向きに旋回可能な収納板が配置される。短冊孔の前には、細長片を押さえ付けるための、ころが設けられる。
【０００３】
更なる装置は、特許文献２に開示されている。説明された細長片切断器は、細長片ロールの上で横方向に押し付けるのはもちろんのこと、細長片ロールの頂部に配列することが可能である。使用する場合、細長片の自由な端部は、細長片ロールの外側円周部から持ち上げられ、且つ基底部材の短冊孔を通るように案内される。更なる実施形態において、細長片は、側面から短冊孔の中に挿入することも可能である。細長片に短冊孔を通過させることはかなり厄介であること、及び装置が全体として細長片ロール上に十分固定されていないことも、不都合なこととして挙げられる。
【先行技術文献】
【特許文献】
【０００４】
【特許文献１】米国特許出願公開第２０１３／００８７２７５Ａ１号
【特許文献２】独国特許出願公開第１０２０１０００７００２Ａ１号
【発明の概要】
【発明が解決しようとする課題】
【０００５】
従って、本発明の目的は、簡単な取り扱いが保証されるような方法で、前述の種類の装置を更に発展させることである。加えて、装置は、使用している間、細長片ロール上に固定されるべきである。
【課題を解決するための手段】
【０００６】
この目的に対する解決策として、本発明によれば、請求項１の前文に記載される装置を、この請求項を特徴付ける部分に従って構成することが提案される。
【０００７】
本発明による装置を使用する場合、収納板を上向きに折り曲げた状態で、またはころ無しの状態で、装置は先ず、細長片ロールの上に取り付けられる、または細長片ロールの上に押し付けられる。続いて、細長片の自由端部が、細長片ロールの外側円周部から持ち上げられ、且つ収納板が下に折り曲げられる、またはころが挿入される。収納板またはころは、その端部位置において、天面の後方縁部と共に、短冊孔を形成する。このようにして、本発明による装置は、今や使用のための準備が整う。先行技術におけるような、短冊孔の中に細長片を貫通させて案内する、即ち短冊孔の中に細長片を通すという厄介なことは、従って、必要ではない。基底部材は、ほぼ四角形枠の形状を有するので、装置は、細長片ロール上でも十分に固定される。
【０００８】
装置を動作させる際に、収納板が偶発的に上向き旋回することを回避するために、本発明の一実施形態は、収納板が、その端部位置において、横側案内面によってロックされることを規定する。使用後に、装置が細長片ロールから再び除去される場合、ロック作用は解放され、且つ収納板は上向きに旋回される。このようにして、細長片の自由端部は、細長片ロールの外側円周部上に、再び配列することが可能である。続いて、装置は、細長片ロールから持ち上げられる。
【０００９】
細長片ロール上への装置の挿入を可能にするために、基底部材は完全には閉じられず、細長片ロールが基底部材の中に入るための通過開口部は、自由に通れる状態でなければならない。有利なことに、横側案内面の１つは、それ故に、ロールの中心に向けた方向に部分的に開いており、且つ基底部材の底面まで完全には延びていない。細長片を使用することによって、細長片ロールの直径が減少する場合でさえも、細長片上に装置を安全に案内することを保証するために、本発明の更なる実施形態は、基底部材の底面が、弾性締め付け腕木で構成されることを規定する。ここで弾性締め付け腕木は、細長片ロールの内側に寄り掛かっている。締め付け腕木の予張力及び、更には細長片ロールの内側における締め付け腕木の接触表面は、細長片ロールの厚さに依存して、異なるように具現化することが可能である。可能な限り広い使用範囲のために、締め付け腕木は、有利なことに、Ｓ字形且つスプーンのような形をしている。
【００１０】
切り離し刃のところで細長片を切り離す場合、考えられることであるが、装置は、細長片ロールの外側円周部上において制御されない状態で移動できる。これを防止するために、本発明の更なる実施形態は、基底部材の天面上に、細長片と相互作用している止め具が設けられる、ということを規定する。細長片が配列され、且つ切り離し刃の上に押し付けられるや否や、止め具は、細長片の外側円周部上に押し付けられ、且つ、従って、装置の更なる移動を防止する。このブレーキ作用が最適であるためには、本発明の更なる実施形態は、止め具が切り離し刃の領域に配置される、ということを規定する。
【００１１】
細長片が引き抜かれると、本発明による装置は、細長片ロールの外側円周部に沿って滑るように動く。細長片ロールに対する装置の移動は、細長片を引き抜くことによってもたらされるが、その理由は、細長片は、その面が接着性でない場合には特に、天面の後方縁部に接触しており、且つ、それ故に、力成分によって、展開する方向に天面を変位させるからである。
【００１２】
本発明は、図面を基により詳細に説明される。図面は、発明の実施形態を示すが、この文脈の中で、それが示される。
【図面の簡単な説明】
【００１３】
【図１】細長片ロールに関する第１実施形態の側面図
【図２】細長片ロールが無い状態での、図１による平面図
【図３】図２による、背面図
【図４】図２による、下方から見た説明図
【図５】更なる実施形態の平面図
【図６】図５による側面図
【図７】更なる実施形態の平面図
【図８】折り曲げて開かれた、更なる実施形態の説明図
【発明を実施するための形態】
【００１４】
細長片ロール３において、細長片２を展開すると共に切断するための装置１は、基底部材４を備える。基底部材４は、天面５、第１横側案内面６、第２横側案内面７、及び底面８を備える。基底部材は、一体的に具現化される。天面５上には、外側に向かって半径方向に延びる切り離し刃９が、天面５の前方縁部１０に近接して位置決めされるように配置される。切り離し刃９は、のこぎりの形状を有し、且つ斜めに延びているが、そこでは細長片２の切断を容易にするために、一方の側が他方の側よりも高くなっている。前面縁部１０は、基底部材４の展開方向１１の方向に面する。天面５には、短冊孔１２が形成される。天面５は、収納板１３を更に備える。短冊孔１２は、切り離し刃９が配置されている天面５の部分の後方縁部１４と、収納板１３の前面縁部１５との間に位置する。収納板１３は、上方向に（即ち、半径方向に）旋回軸領域１６の周りに旋回可能である。旋回軸領域１６は、第１案内面６の上側縁部に位置する。他方の側では、収納板１３は突起１７を有するが、ここで突起１７は、第２案内面７に平行に延び、且つ第２案内面７によってロック可能である。この目的のために、突起１７は、内側に向けられた突出部１８を有するが、ここで突出部１８は、収納板１３の端部位置で、第２案内面７と係合する。突出部１８は、突起１７に近接して位置する第２案内面７のその部分とのみ係合する。側面図で見る場合、突出部１８は、先細りした尖った形を有し、その頂上縁部は、水平にではなく、斜めに延びている。従って、第２案内面７の隣接する底縁部もまた、斜めに延びているが、その理由は、ロックした後、突出部１８と第２案内面７が滑って離れるのを回避するためである。底面８は弾性締め付け腕木であり、この弾性締め付け腕木は、第１案内面６に接続されると共に、第１案内面６から第２案内面７に向けて延びる。長手部分における底面８は、Ｓ字形をしており、且つ、第１案内面６から見た場合、おおよそ２／３の後は、曲げ領域１９であり、この曲げ領域１９は、装置１を使用する際、細長片ロール３の内側面２０に接触している。締め付け腕木は弾性的であるため、連続使用によって細長片ロール３の直径が減少した場合でさえも、この曲げ領域１９は、依然として細長片ロール３に接触している。
【００１５】
図４は、下方から見た場合の底面８を示す。弾性締め付け腕木の形態における底面８は、スプーンのように具現化される。図３で分かるように、第２案内面７は、細長片３の中心の方向において、第１案内面６ほどには、下方に延びていない。従って、底面８と第２案内面７との間の貫通開口部２１が形成され、装置１が細長片ロール３上に押し付けられる場合、この貫通開口部２１を通して、細長片ロール３を通過させることが可能である。
【００１６】
装置１を使用する場合、第２案内面７は、細長片ロール３の外側円周部上に配列され、且つ弾性的な底面８は、細長片ロール３の中心に向けて、いくらか開くように曲げられる。その後、細長片ロール３を押して、貫通開口部２１を通過させることが可能である。そして、その後、細長片ロール３は、基底部材４の中に位置するが、そこでは底面８は、細長片ロール３の内側面２０に接触している。収納板１３は、その後、折り曲げて開かれ、且つ細長片２の自由端部は、図１で分かるように、持ち上げられる。さて収納板１３は、再び下に折り曲げられ、且つ第２案内面７のところでロックされる。収納板１３は、残りの天面５と共に、今は１つの平面内にあり、且つ、従って、短冊孔１２を形成し、短冊孔１２の中で細長片２が延びる。このようにして、細長片２を短冊孔１２の中に挿入するための、簡単な取り扱いが提供される。更なる使用に先立って、細長片２を、収納板１３上に配列すること、または収納板１３に接着することが可能である。後方縁部１４で収納板の非接着性表面と接触している細長片２を更に引き上げることによって、基底部材４は、展開する方向１１の方向に押される。望ましい長さの細長片２が分与されると、細長片２は、切り離し刃９の上で下方に旋回され、且つ切り離される。細長片２は、初めに引き上げられた後、もちろん望ましい場所に接着することも可能であり、且つ、細長片ロール３を引き離すことによって、基底部材４は、その後展開方向１１に変位させられ、そして細長片２が分与される。取り扱いにおける特別な相違点無しに、両方の方向において、装置１をロール上に配列し、且つ使用することが可能である。収納板１３が細長片２の開放端を指し示す方向では、細長片端部をより良く収納することが可能である。細長片２を引き出す際には、細長片ロール３を、強固に且つしっかりと保持してはならない。細長片は、一方では親指と他方では指との間で、わずかに閉じられた手を通して移動可能に案内され、その結果として、細長片は、手の中で滑ることによって回転し、且つ、それによって、展開されることが可能である。
【００１７】
図５で例示された実施形態において、ころ２２は、収納板１３の代わりに設けられる。ころ２２は、１つの側で開いている、天面５のＵ字形の切り抜き部に据え付けられる。ころ２２の軸２３は、第１側面締め付け保持体２４及び第２側面締め付け保持体２５のところでロックされる。２つの側面締め付け保持体２４、２５は、おおよそ後方縁部１４から上方向に延びる。側面締め付け保持体２４、２５の各々は、ころ２２の軸２３を挿入するための案内小孔２６を有し、それによって、ころ２２を挿入することが可能である。その端部位置において、ころ２２は、後方縁部１４と共に、細長片２のための短冊孔１２を再び形成する。この実施形態を使用する場合、ころ２２が挿入されていない装置１は、細長片ロール３の上に押し付けられる。次に、細長片２は、第１実施形態の場合と同様に、持ち上げられ、且つ上方向に引っ張られる。続いて、ころ２２が挿入され、且つ、その後、その外側円周部と共に短冊孔１２を形成し、且つ、従って、細長片２のための案内手段を形成する。更なる使用に先だって、今は、細長片２をころ２２の上に配列すること、またはころ２２に接着することが可能である。
【００１８】
天面５の内側表面上には、止め具が配置されるが、この止め具は、細長片２に面すると共に、天面５の前面縁部１０に近接して位置決めされる。切り離し刃９において細長片２を切り離す場合、切り離し刃９に対する圧力によって、天面５は、細長片２に向けて下方向に押され、且つ、従って、止め具もまた、強制的に細長片２の上に押し付けられる。このようにして、細長片２を切り離す場合、展開方向１１における基底部材４の更なる移動が回避される。
【００１９】
図７による実施形態において、収納板１３は、おおよそ第２案内面７のところまで延び、且つ突起を有しない。このように、収納板を、第２案内面７によってロックすることは可能ではない。しかしながら、収納板１３はまた、ここでは旋回可能であり、且つ、第１実施形態において上で説明されたように、細長片２の挿入が実現されるが、そこでは細長片２は、側面からいくぶんより多く挿入されると考えられる。
【００２０】
折り曲げ式腕木２８を有する、図８に例示された実施形態が、細長片ロール３に対して構成され、そこでは内側直径は非常に小さく、外側直径は、しかしながら非常に大きい。そして、このことのために、それ故、横側表面は非常に広い。使用する場合、装置１は細長片ロール３全体を取り囲むが、そこでは基本枠と折り曲げ式腕木２８は、ロールの２つの横側表面の１つのところで重なる。それらは、お互いの上で留め金によって、しっかりと留められると共に固定される。この実施形態の枠は、縁部で２つの直角を有する、ロールの中心に向けたＵ字形のものであり、且つ閉じられ、しかも強固である。横側案内面６、７の内側にはそれぞれ、垂直な、または半径方向に延びる案内レール２９が位置する。案内レール２９によって、圧力板が案内され、且つ案内レール２９の端部では、横突起３０によって、その動きが制限される。圧力板は、その短い側で、案内レール２９に対応する溝を有する。圧力板は、バネ３１によって外側に押されるが、ここでバネ３１は、その基底部と共に、基底板における底面８上に（即ち、枠底部で内側に）据え付けられる。基底板は、調節ねじによって、バネ３１上により強い圧力を及ぼすことが可能である。このために必要なねじ山は、枠の底部に位置する。この装置１は、ロール中心から、細長片ロール３の上に押されるが、そこでは圧力板は、細長片ロール３の内側２０に抗して案内され、且つそれを固定するばね３１は圧縮される。細長片ロール３の上で十分深く押し込まれた後、切り離し刃９を固定する折り曲げ式腕木２８は、ロールの外側表面の周りに折り曲げられ、且つ留め金によってロックされる。今や使用されるべき細長片２は、細長片ロール３から持ち上げられ、且つ既に閉じられた腕木をまたいで保持される。この時点で依然として開いている折り曲げ式腕木は、今は折り曲げて閉じられ、且つ留め金によって固定される。
【図１】
0006691546.tif 000002
【図２】
0006691546.tif 000003
【図３】
0006691546.tif 000004
【図４】
0006691546.tif 000005
【図５】
0006691546.tif 000006
【図６】
0006691546.tif 000007
【図７】
0006691546.tif 000008
【図８】
0006691546.tif 000009